(57)【要約】【課題】衝突型のアクセス方式が用いられる場合に、効率的にＵＬ信号の再送を行うことを可能にする技術を提供すること。【解決手段】複数のユーザ装置と基地局とを有し、当該複数のユーザ装置が上り無線リソースを共有する通信方式をサポートする無線通信システムにおけるユーザ装置であって、前記基地局から、上り信号に対するＮＡＣＫを受信した場合、又は、上り信号に対するＡＣＫ若しくはＮＡＣＫを受信していない場合に、上り信号の再送を行うと判断する制御部と、前記制御部で上り信号の再送を行うと判断した場合に、所定の再送方式に基づいて上り信号を再送する送信部と、を有するＵＥを提供する。【選択図】図３
2019153823.tif 000002
【特許請求の範囲】
【請求項１】
複数のユーザ装置と基地局とを有し、当該複数のユーザ装置が上り無線リソースを共有する通信方式をサポートする無線通信システムにおけるユーザ装置であって、
前記基地局から、上り信号に対するＮＡＣＫを受信した場合、又は、上り信号に対するＡＣＫ若しくはＮＡＣＫを受信していない場合に、上り信号の再送を行うと判断する制御部と、
前記制御部で上り信号の再送を行うと判断した場合に、所定の再送方式に基づいて上り信号を再送する送信部と、
を有するユーザ装置。
【請求項２】
前記送信部は、上り信号に対するＮＡＣＫを所定の回数連続して受信したことを前記制御部で検出した場合、又は、送信された上り信号に対するＡＣＫ若しくはＮＡＣＫを受信していないことを所定の回数連続して前記制御部で検出した場合、前記基地局にスケジューリング要求を送信すると共に、当該スケジューリング要求に基づき前記基地局から割当てられた上り無線リソースを用いて上り信号を再送する、請求項１に記載のユーザ装置。
【請求項３】
前記送信部は、上り信号の送信に周波数ホッピングを適用すると共に、前記制御部で上り信号の再送を行うと判断した場合、上り信号の送信に用いた周波数ホッピングパターンとは異なる周波数ホッピングパターンを用いて上り信号を再送する、請求項１又は２に記載のユーザ装置。
【請求項４】
前記送信部は、上り信号の送信に拡散符号を用いた周波数拡散を適用すると共に、前記制御部で上り信号の再送を行うと判断した場合、上り信号の送信に用いた拡散符号とは異なる拡散符号を用いて上り信号を再送する、請求項１乃至３のいずれか一項に記載のユーザ装置。
【請求項５】
前記送信部は、上り信号の送信において、上り信号ごとに異なるインターリーブパターンを適用することで上り信号を多重するアクセス方式を適用すると共に、前記制御部で上り信号の再送を行うと判断した場合、上り信号の送信に用いたインターリーブパターンとは異なるインターリーブパターンを用いて上り信号を再送する、請求項１乃至４のいずれか一項に記載のユーザ装置。
【請求項６】
複数のユーザ装置と基地局とを有し、当該複数のユーザ装置が上り無線リソースを共有する通信方式をサポートする無線通信システムにおけるユーザ装置が実行する無線通信方法であって、
前記基地局から、上り信号に対するＮＡＣＫを受信した場合、又は、上り信号に対するＡＣＫ若しくはＮＡＣＫを受信していない場合に、上り信号の再送を行うと判断するステップと、
上り信号の再送を行うと判断した場合に、所定の再送方式に基づいて上り信号を再送するステップと、
を有する無線通信方法。
【発明の詳細な説明】
【技術分野】
【０００１】
本発明は、ユーザ装置及び無線通信方法に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる次世代の無線通信システムの検討が進んでいる。
【０００３】
５Ｇでは、１０Ｇｂｐｓ以上のスループットを実現しつつ無線区間の遅延を１ｍｓ以下にするという要求条件を満たすために、様々な要素技術の検討が行われている。また、ＩｏＴ（Internet of Things）に代表されるようなサービスに対応するため、膨大な数のＭＴＣ（Machine Type Communication）端末が５Ｇの無線ネットワークを介してデータ送信を行うことを可能にするための要素技術の検討が行われている。なお、大量のＭＴＣ端末がネットワークにアクセス可能にする技術は、５ＧではｍＭＴＣ（Massive machine-type-communications）と呼ばれている。
【先行技術文献】
【非特許文献】
【０００４】
【非特許文献１】３ＧＰＰ  ＴＲ３８．９１３  Ｖ０．２．０（２０１６−０２）
【発明の概要】
【発明が解決しようとする課題】
【０００５】
ここで、ネットワークに対して大量のＭＴＣ端末からのアクセスが生じた場合、シグナリングメッセージ（制御信号）の量が膨大になることが懸念される。例えば、従来のＬＴＥでは、ＵＬ（Uplink）信号が衝突することを防止するため、ＲＡ手順（ランダムアクセス手順）によりＵＬのスケジューリングを基地局が全て制御するアクセス方式を採用している（図１）。従って、大量のＭＴＣ端末からのアクセスが生じてしまうと、シグナリングメッセージの量が膨大になってしまう。
【０００６】
そこで、ｍＭＴＣでは、シグナリングメッセージの量を低減するために、複数のＭＴＣ端末が上り無線リソースを共有すると共にＵＬ信号の競合（Contention）を許容する、衝突型のアクセス方式（Ｇｒａｎｔフリーアクセス、メッセージベース送信、非直交アクセス方式とも呼ばれる）が用いられることが検討されている（図２）。衝突型のアクセス方式を用いることで、大量のＭＴＣ端末から基地局へのアクセスが生じたとしても、シグナリングメッセージの量を低減することができると考えられる。
【０００７】
しかしながら、衝突型のアクセス方式が用いられる場合、ある端末が送信したＵＬ信号と他端末からのＵＬ信号とが衝突し、受信品質が大幅に劣化することが想定されるため、送信の度に衝突してしまうと、端末はＵＬ信号を基地局に送信することができなくなってしまう可能性がある。そのため、衝突型のアクセス方式を用いつつ、効率的にＵＬ信号の再送を可能にする仕組みが必要になると考えられる。
【０００８】
開示の技術は上記に鑑みてなされたものであって、衝突型のアクセス方式が用いられる場合に、効率的にＵＬ信号の再送を行うことを可能にする技術を提供することを目的とする。
【課題を解決するための手段】
【０００９】
開示の技術のＵＥは、複数のユーザ装置と基地局とを有し、当該複数のユーザ装置が上り無線リソースを共有する通信方式をサポートする無線通信システムにおけるユーザ装置であって、前記基地局から、上り信号に対するＮＡＣＫを受信した場合、又は、上り信号に対するＡＣＫ若しくはＮＡＣＫを受信していない場合に、上り信号の再送を行うと判断する制御部と、前記制御部で上り信号の再送を行うと判断した場合に、所定の再送方式に基づいて上り信号を再送する送信部と、を有する。
【発明の効果】
【００１０】
開示の技術によれば、衝突型のアクセス方式が用いられる場合に、効率的にＵＬ信号の再送を行うことを可能にする技術が提供される。
【図面の簡単な説明】
【００１１】
【図１】非衝突型のアクセス方式を示す図である。
【図２】衝突型のアクセス方式を示す図である。
【図３】実施の形態に係る無線通信システムの構成例を示す図である。
【図４】アクセス方式毎に無線リソースが区別される例を示す図である。
【図５】実施の形態に係る課題を説明するための図である。
【図６】再送方式１−１を説明するための図である。
【図７】再送方式１−２を説明するための図である。
【図８】再送方式１−３を説明するための図である。
【図９】再送方式１−４を説明するための図である。
【図１０】ＯＶＳＦ符号を説明するための図である。
【図１１】再送方式１−５を説明するための図である。
【図１２】再送方式２−４を説明するための図である。
【図１３】ＵＬ信号のフォーマットに含まれる送信要素の一例を示す図である。
【図１４】再送方式３−１を説明するための図である。
【図１５】再送方式３−２を説明するための図である。
【図１６】再送方式３−３を説明するための図である。
【図１７】再送方式４を説明するための図である。
【図１８】ＡＣＫ／ＮＡＣＫの受信タイミング（受信ウインドウ）を示す図である。
【図１９】実施の形態に係るＵＥの機能構成の一例を示す図である。
【図２０】実施の形態に係るｅＮＢの機能構成の一例を示す図である。
【図２１】実施の形態に係るＵＥ及びｅＮＢのハードウェア構成の一例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１３】
＜システム構成＞
図３は、実施の形態に係る無線通信システムの構成例を示す図である。図３に示すように、本実施の形態に係る無線通信システムは、ＵＥ（User Equipment）１０１とＵＥ１０２とｅＮＢ（enhanced NodeB）２０とを有する。以下の説明において、ＵＥ１０１とＵＥ１０２とを特に区別しない場合は「ＵＥ１０」と記載する。また、ＵＥ１０１と「ＵＥ＃１」は同一であり、ＵＥ１０２と「ＵＥ＃２」は同一である。図３にはＵＥ１０が２つ図示されているが、１つでもよいし３つ以上のＵＥ１０を有していてもよい。また、図３にはｅＮＢ２０が１つ図示されているが、２つ以上のｅＮＢ２０を有していてもよい。
【００１４】
ＵＥ１０は、ＭＴＣ端末であってもよいし、ＭＢＢ（Mobile Broad Band）端末であってもよい。すなわち、本実施の形態のＵＥ１０は、どのような種別の端末であってもよい。
【００１５】
本実施の形態に係る無線通信システムは、図４に示すように、従来のＬＴＥと同様であるＧｒａｎｔベース（非衝突型）のアクセス方式が適用される無線リソース（grant based resources）と、衝突型のアクセス方式が適用される無線リソース（contention resources）とが区別されていてもよいし、特に区別されていなくてもよい。衝突型のアクセス方式が適用される無線リソースは、標準仕様等で予め規定されていてもよいし、上位レイヤシグナリング（ＲＲＣ又は報知情報（ＭＩＢ又はＳＩＢ））を用いてＵＥ１０に設定（通知）されてもよい。
【００１６】
＜概要＞
本実施の形態に係るＵＥ１０は、複数のＵＥ１０が同一の上り無線リソース（周波数及び時間）を用いてＵＬ信号を送信することを許容する、衝突型のアクセス方式を用いてＵＬ信号を送信する。そのため、図５に示すようにＵＥ１０間でＵＬ信号の衝突が発生した場合に、各ＵＥ１０が効率的にＵＬ信号を再送可能な仕組みが必要になる。
【００１７】
ここで、本実施の形態に係るｅＮＢ２０は、ＵＬ信号に対するＡＣＫ（Acknowledgement）又はＮＡＣＫ（Negative Acknowledgement）をＵＥ１０に通知する方法として、以下の動作を行う想定である。
・「ｅＮＢ動作パターン１」：従来のＬＴＥと同様、ＵＬ信号に対してＡＣＫ及びＮＡＣＫを明示的にＵＥ１０に通知する。
・「ｅＮＢ動作パターン２」：シグナリングオーバーヘッド削減のため、ＵＬ信号に対してＡＣＫのみを明示的にＵＥ１０に通知する。
【００１８】
まず、「ｅＮＢ動作パターン１」に従ってｅＮＢ２０が動作する場合、本実施の形態に係るＵＥ１０は、以下の場合に"ｅＮＢ２０からＮＡＣＫが通知された"と認識する。
・「ＵＥ動作パターン１」：ＵＥ１０がＵＬ信号に対するＮＡＣＫを受信した場合。
・「ＵＥ動作パターン２」：ＵＥ１０がＵＬ信号に対するＡＣＫ及びＮＡＣＫの両方を受信しなかった場合（例えば、ＡＣＫ及びＮＡＣＫを所定の期間内に受信しなかった場合、又は所定のタイミングで受信しなかった場合）。なお、「ＵＥ動作パターン２」は、ｅＮＢ２０がそもそもＵＬ信号を検出できなかった場合に該当する。
【００１９】
次に、「ｅＮＢ動作パターン２」に従ってｅＮＢ２０が動作する場合、ＵＥ１０は、以下の場合に"ｅＮＢ２０からＮＡＣＫが通知された"と認識する。
・「ＵＥ動作パターン３」：ＵＥ１０がＵＬ信号に対するＡＣＫを受信しなかった場合（例えば、ＡＣＫを所定の期間内に受信しなかった場合、又は所定のタイミングで受信しなかった場合）。なお、「ＵＥ動作パターン３」は、ｅＮＢ２０がＵＬ信号を検出できなかった、又はｅＮＢ２０がＵＬ信号を検出したもののＮＡＣＫと判断した（例えば、ＣＲＣチェックに失敗した）場合に該当する。
【００２０】
本実施の形態に係るＵＥ１０は、上記の「ＵＥ動作パターン１」〜「ＵＥ動作パターン３」により"ｅＮＢ２０からＮＡＣＫが通知された"と認識した場合、以下の所定の再送方式のいずれかに従ってＵＬ信号の再送を行う。
・「再送方式１」：ＵＬ信号の衝突が発生しにくくなるように再送を行う。
・「再送方式２」：ｅＮＢ２０でＵＬ信号が検出され易いように再送を行う。
・「再送方式３」：ＵＬ信号のフォーマットに含まれる送信要素ごとに再送方式を制御する。送信要素については後述する。
・「再送方式４」：敢えて衝突が生じるように再送を行い、ｅＮＢ２０側で合成させる。
【００２１】
なお、「再送方式１」〜「再送方式３」は、特に断りの無い限り、ＵＥ１０が「ＵＥ動作パターン１」〜「ＵＥ動作パターン３」のうち任意の動作パターンに従ってＮＡＣＫを認識した場合に適用することができる。「再送方式４」は、ＵＥ１０が「ＵＥ動作パターン１」に従ってＮＡＣＫを認識した場合に適用することができる。
【００２２】
＜処理手順＞
以下、ＵＥ１０が行う「再送方式１」〜「再送方式４」について具体的に説明する。
【００２３】
（「再送方式１」について）
「再送方式１」では、ＵＥ１０は、ＵＬ信号の衝突が発生しにくくなるように再送を行う。「再送方式１」は、更に、再送方式１−１〜１−５に分けられる。
【００２４】
［再送方式１−１］
図６は、再送方式１−１を説明するための図である。再送方式１−１では、ＵＥ１０は、ｅＮＢ２０から所定の回数連続してＮＡＣＫが通知されたと認識した場合、ｅＮＢ２０にスケジューリング要求（ＳＲ：Scheduling Request）を送信すると共に、当該スケジューリング要求に基づきｅＮＢ２０から割当てられたＵＬ無線リソースを用いてＵＬ信号を再送する。図６の例では、ＵＥ１０は、ｅＮＢ２０から２回連続してＮＡＣＫが通知されたと認識した場合にスケジューリング要求を送信し、ＵＬｇｒａｎｔによりｅＮＢ２０から割当てられたＵＬ無線リソースを用いてＵＬ信号を再送する場合を示している。
【００２５】
再送方式１−１によれば、ＵＥ１０は、複数回連続してＮＡＣＫが通知されたと認識した場合に、非衝突型のアクセス方式に切替えることができ、より効率的にＵＬ信号の送信を行うことが可能になる。なお、ｅＮＢ２０からＵＥ１０へＮＡＣＫを送信する場合、同時にスケジューリング要求を行うことを指示してもよい。この場合、ＵＥ１０はｅＮＢ２０からの指示に従い衝突型アクセスから非衝突型アクセスへと切り替えることが可能である。
【００２６】
［再送方式１−２］
図７は、再送方式１−２を説明するための図である。再送方式１−２では、ＵＥ１０は、ｅＮＢ２０からＮＡＣＫが通知されたと認識した場合、所定のバックオフ時間が経過するまで待機した後、ＵＬ信号を再送する。
【００２７】
なお、所定のバックオフ時間は、ＵＥ１０毎に予め定められていてもよいし、所定の範囲内（ＴＭＩＮ以上、ＴＭＡＸ以下の間）でランダムに選択されてもよいし、ＵＥ１０個別の情報（例えば、ＵＥ−ＩＤ、ＩＭＳＩ（International Mobile Subscriber Identity）、ＲＮＴＩ（Radio Network Temporary Identity）など）に基づいてＵＥ１０毎のバックオフ時間が決定されるようにしてもよい。
【００２８】
また、ＵＥ１０は、ｅＮＢ２０から連続してＮＡＣＫが通知されたと認識した場合に、徐々にバックオフ時間が短くなるようにしてもよい。例えば、Ｎ回連続してＮＡＣＫが通知された場合、次にＵＬ信号を再送する際のバックオフ時間は、１回目のバックオフ時間×（１／Ｎ）で算出されるようにしてもよい。
【００２９】
再送方式１−２によれば、ＵＥ１０間でＵＬ信号の再送タイミングが分散されることでＵＬの再送信号が衝突する可能性が軽減されることになる。
【００３０】
［再送方式１−３］
図８は、再送方式１−３を説明するための図である。再送方式１−３では、ＵＬ信号の送信に周波数ホッピングが適用されている前提とする。
【００３１】
再送方式１−３では、ＵＥ１０は、ｅＮＢ２０からＮＡＣＫが通知されたと認識した場合、ＵＬ信号の送信に用いた周波数ホッピングパターンとは異なる周波数ホッピングパターンを用いてＵＬ信号を再送する。
【００３２】
なお、ＵＬ信号を再送する際に用いられる周波数ホッピングパターンは、ＵＥ１０毎に予め定められていてもよいし、複数の周波数ホッピングパターンの中からランダムに選択されてもよいし、ＵＥ１０個別の情報（例えば、ＵＥ−ＩＤ、ＩＭＳＩ、Ｃ−ＲＮＴＩなど）、ＵＬ信号を再送する際のサブフレーム（又はスロット）番号、及び／又は、ＵＬ信号の再送回数などに基づいてＵＥ１０毎に周波数ホッピングパターンが決定されるようにしてもよい。
【００３３】
再送方式１−３によれば、複数のＵＥ１０（例えばＵＥ＃１及びＵＥ＃２）が初回送信時に同一の周波数ホッピングパターンを用いてＵＬ信号を送信した場合（例えば図８左側）であっても、ＵＬ再送時にはＵＥ１０毎に異なる周波数ホッピングパターンが適用されることになるため（例えば図８右側）、複数のＵＥ１０間でＵＬ信号の送信リソースが分散され、ＵＬの再送信号が衝突する可能性が軽減されることになる。また、再送方式１−３によれば、ＵＬ信号の送信に周波数ホッピングが適用される場合に、ＵＬの再送信号が衝突する可能性を軽減させることができる。
【００３４】
［再送方式１−４］
図９は、再送方式１−４を説明するための図である。再送方式１−４では、ＵＬ信号の送信に拡散符号に基づく周波数拡散が適用されている前提とする。
【００３５】
再送方式１−４では、ＵＥ１０は、ｅＮＢ２０からＮＡＣＫが通知されたと認識した場合、ＵＬ信号の送信に用いた拡散符号とは異なる拡散符号を用いてＵＬ信号を再送する。
【００３６】
なお、ＵＬ信号を再送する際に用いられる拡散符号は、ＵＥ１０毎に予め定められていてもよいし、複数の拡散符号のパターンの中からランダムに選択されてもよいし、ＵＥ１０個別の情報（例えば、ＵＥ−ＩＤ、ＩＭＳＩ、Ｃ−ＲＮＴＩなど）、ＵＬ信号を再送する際のサブフレーム（又はスロット）番号、及び／又は、ＵＬ信号の再送回数などに基づいてＵＥ１０毎に拡散符号が決定されるようにしてもよい。なお、再送方式１−４では、ｅＮＢ２０は、ＵＬ信号の再送に用いられていると想定される拡散符号をブラインドで検出する（つまり、総当たりで検出する）。
【００３７】
拡散符号はどのような符号であってもよいが、例えば、ＯＶＳＦ（OVSF(Orthogonal Variable Spreading Factor)符号が用いられてもよい。なお、ＯＶＳＦ符号とは、同一の符号長を有する符号間で直交性が保たれると共に、異なる符号長間であっても、同一のツリーから派生した符号でなければ直交性が保たれるという特性を持つ。例えば、図１０に示すように、ＳＦ２に該当する同一符号長の符号間（Ｃ２，０、Ｃ２，１）、ＳＦ４に該当する同一符号長の符号間（Ｃ４，０、Ｃ４，１、Ｃ４，２、Ｃ４，３）、ＳＦ８に該当する同一符号長の符号間（Ｃ８，０、Ｃ８，１、Ｃ８，２、Ｃ８，３、Ｃ８，４、Ｃ８，５、Ｃ８，６、Ｃ８，７）ではそれぞれ直交性が保たれる。また、同一符号長の符号間でなくても、同一ツリーから派生した符号でない符号間（例えば、Ｃ４，１及びＣ８，０、Ｃ４，１及びＣ８，１など）でも直交性が保たれる。また、ＳＦ１、ＳＦ２、ＳＦ４、ＳＦ８の順に拡散符号の符号長は長くなる。
【００３８】
図９は、拡散符号として、ＯＶＳＦ（Orthogonal Variable Spreading Factor)符号が用いられる場合に、再送に用いられる上り無線リソース及びＵＬ送信に用いられる拡散符号の例を示している。「Ｔｒｅｅ＃３  ｃｏｄｅ」は、「Ｔｒｅｅ＃２  ｃｏｄｅ」よりも拡散率が低い（符号長が短い）拡散符号を示している。また、「Ｔｒｅｅ＃２  ｃｏｄｅ」は、「Ｔｒｅｅ＃１  ｃｏｄｅ」よりも拡散率が低い（符号長が短い）拡散符号を示している。また、「Ｔｒｅｅ＃３  ｃｏｄｅ」に該当する拡散符号を用いて送信されるＵＬ信号の無線リソースは４つに周波数多重され、「Ｔｒｅｅ＃２  ｃｏｄｅ」に該当する拡散符号を用いて送信されるＵＬ信号の無線リソースは２つに周波数多重されている。周波数多重方法はあくまで一例であり、これに限定されず、更に多くの無線リソースが周波数多重されていてもよいし、必ずしも周波数多重されていなくてもよい。
【００３９】
また、図９の例では、各ＵＥ１０（ＵＥ＃１及びＵＥ＃２）は、ＵＬ信号の再送時に、同一の符号長かつ異なる無線リソースを用いてＵＬ信号の再送を行っているが、あくまで一例でありこれに限定されない。各ＵＥ１０は、拡散率が低い（又は高い）拡散符号を用いてＵＬ信号の再送を行ってもよい。
【００４０】
再送方式１−４によれば、複数のＵＥ１０が初回送信時に同一の拡散符号を用いてＵＬ信号を送信した場合であっても、ＵＬ再送時にはＵＥ１０毎に異なる拡散符号が適用されることになるため、ＵＬの再送信号が衝突する可能性を軽減させることができる。また、再送方式１−４によれば、ＵＬ信号の送信に拡散符号に基づく周波数拡散が適用される場合に、ＵＬの再送信号が衝突する可能性を軽減させることができる。
【００４１】
［再送方式１−５］
図１１は、再送方式１−５を説明するための図である。再送方式１−５では、ＵＬ信号の送信にＩＤＭＡ（Interleave Division Multiple Access）が適用されている前提とする。なお、ＩＤＭＡとは、非常に低い符号化率でコーディングを行い、更に、ＵＥ１０に対して固有のインターリーブパターンを適用することで、同一の周波数及び時刻の無線リソースに複数の信号を多重する多重方式である。ＩＤＭＡは、少量のデータを大量の端末が送信するような状況に適している。
【００４２】
再送方式１−５では、ＵＥ１０は、ｅＮＢ２０からＮＡＣＫが通知されたと認識した場合、コーディングされたビットレベルの信号に対してインターリーブ処理が適用される場合（図１１の「Bit-level interleaving」）、及び／又は、変調後のシンボルレベルの信号に対してインターリーブ処理が適用される場合（図１１の「Symbol-level interleaving」）に、ＵＬ信号の送信に用いたインターリーブパターンとは異なるインターリーブパターンを用いてＵＬ信号を再送する。
【００４３】
ＵＬ信号を再送する際に用いられるインターリーブパターンは、ＵＥ１０毎に予め定められていてもよいし、複数のインターリーブパターンの中からランダムに選択されてもよいし、ＵＥ１０個別の情報（例えば、ＵＥ−ＩＤ、ＩＭＳＩ、Ｃ−ＲＮＴＩなど）、ＵＬ信号を再送する際のサブフレーム（又はスロット）番号、及び／又は、ＵＬ信号の再送回数などに基づいてＵＥ１０毎にインターリーブパターンが決定されるようにしてもよい。なお、再送方法１−５では、ｅＮＢ２０は、ＵＬ信号の再送に用いられていると想定されるインターリーブパターンをブラインドで検出する（つまり、総当たりで検出する）。
【００４４】
再送方式１−５によれば、複数のＵＥ１０（例えばＵＥ＃１及びＵＥ＃２）が初回送信時に同一のインターリーブパターンを用いてＵＬ信号を送信した場合であっても、ＵＬ再送時にはＵＥ１０毎に異なるインターリーブパターンが適用されることになるため、ＵＬの再送信号が衝突する可能性を軽減させることができる。また、再送方式１−５によれば、ＵＬ信号の送信にＩＤＭＡが適用される場合に、ＵＬの再送信号が衝突する可能性を軽減させることができる。
【００４５】
（「再送方式２」について）
「再送方式２」では、ＵＥ１０は、ｅＮＢ２０側でＵＬ信号（ＵＬの再送信号）が検出され易くなるように再送を行う。「再送方式２」は、更に、再送方式２−１〜２−４に分けられる。
【００４６】
［再送方式２−１］
再送方式２−１では、ＵＥ１０は、ｅＮＢ２０からＮＡＣＫが通知されたと認識した場合、ＵＬ信号に適用した送信電力よりも高い送信電力を適用してＵＬの再送信号を送信する。例えば、ＵＥ１０は、ｅＮＢ２０からＮＡＣＫが通知されたと認識する度に送信電力をｎｄＢ（例えばｎ＝３等）ずつ増加させるようにしてもよい。また、ＵＥ１０は、ｅＮＢ２０からＡＣＫが通知された場合、次の送信タイミングの上り信号については送信電力をリセットするようにしてもよい。
【００４７】
なお、再送方式２−１の変形例として、ＵＥ１０は、ｅＮＢ２０からＡＣＫが通知されたと認識した場合、次の送信タイミングで送信するＵＬ信号の送信電力として、前回の送信タイミングにおけるＵＬ信号に適用した送信電力よりも低い送信電力を適用するようにしてもよい。すなわち、ＵＥ１０は、ＡＣＫが通知された場合に次の送信タイミングで送信するＵＬ信号の送信電力を下げることで、相対的にＵＬの再送信号の送信電力が高くなるようにしてもよい。
【００４８】
再送方式２−１によれば、ＵＥ１０は、ＵＬの再送信号の送信電力がＵＬ信号よりも高くなるように送信することになるため、ｅＮＢ２０でＵＬの再送信号が受信される可能性を高めることができる。
【００４９】
［再送方式２−２］
再送方式２−２では、ＵＬ信号の送信に時間軸方法での繰り返し送信が適用されている前提とする。繰り返し送信とは、ＵＥ１０から同一の信号を時間方向で繰り返し送信する（例えば１００回など）ことで、カバレッジ拡張などを可能にする技術である。
【００５０】
再送方式２−２では、ＵＥ１０は、ｅＮＢ２０からＮＡＣＫが通知されたと認識した場合、ＵＬ信号に適用した繰り返し送信回数よりも多くの繰り返し送信回数でＵＬの再送信号を送信する。例えば、ＵＥ１０は、ｅＮＢ２０からＮＡＣＫが通知されたと認識する度に繰り返し送信回数をｎ倍（例えばｎ＝２等）ずつ増加させるようにしてもよい。また、ＵＥ１０は、ｅＮＢ２０からＡＣＫが通知された場合、次の送信タイミングの上り信号については繰り返し送信回数をリセットするようにしてもよい。
【００５１】
なお、再送方式２−２の変形例として、ＵＥ１０は、ｅＮＢ２０からＡＣＫが通知されたと認識した場合、次の送信タイミングで送信するＵＬ信号の繰り返し送信回数として、前回の送信タイミングにおけるＵＬ信号に適用した繰り返し送信回数よりも少ない繰り返し送信回数（例えば、繰り返し送信回数をｎ倍（ｎ＝３／４等）にする等）を適用するようにしてもよい。すなわち、ＵＥ１０は、ＡＣＫが通知された場合に次の送信タイミングで送信するＵＬ信号の繰り返し送信回数を下げることで、相対的にＵＬの再送信号の繰り返し送信回数が多くなるようにしてもよい。
【００５２】
再送方式２−２によれば、ＵＥ１０は、ＵＬの再送信号の繰り返し送信回数がＵＬ信号よりも多くなるように送信することになるため、ｅＮＢ２０でＵＬの再送信号が受信される可能性を高めることができる。
【００５３】
［再送方式２−３］
再送方式２−３では、ＵＥ１０は、ｅＮＢ２０からＮＡＣＫが通知されたと認識した場合、ＵＬ信号に適用したＭＣＳ（Modulation and Coding scheme）よりも、ビットレートが低い変調方式若しくは符号化レート（Code rate）が低い符号化方式であるＭＣＳを適用してＵＬの再送信号を送信する。例えば、ＵＥ１０は、ｅＮＢ２０からＮＡＣＫが通知されたと認識する度に、ＭＣＳのレベルを２つ低下させるようにしてもよい。なお、ＭＣＳのレベルとは、例えば予め標準仕様等で規定され、低いレベルのＭＣＳになるほど、変調方式のビットレート及び／又は符号化レートが低くなることを意図している。また、ＵＥ１０は、ｅＮＢ２０からＡＣＫが通知された場合、次の送信タイミングの上り信号についてはＭＣＳのレベルをリセットするようにしてもよい。
【００５４】
なお、再送方式２−３の変形例として、ＵＥ１０は、ｅＮＢ２０からＡＣＫが通知されたと認識した場合、次の送信タイミングで送信するＵＬ信号のＭＣＳとして、前回の送信タイミングにおけるＵＬ信号に適用したＭＣＳよりもビットレートが高い変調方式若しくは符号化レートが高い符号化方式であるＭＣＳを適用してＵＬの再送信号を送信するようにしてもよい。例えば、ＵＥ１０は、ｅＮＢ２０からＡＣＫが通知されたと認識する度に、ＭＣＳのレベルを１つ上げるようにしてもよい。すなわち、ＵＥ１０は、ＡＣＫが通知された場合に次の送信タイミングで送信するＵＬ信号のＭＣＳのレベルを上げることで、相対的にＵＬの再送信号のＭＣＳのレベルが低くなるようにしてもよい。
【００５５】
再送方式２−３によれば、ＵＥ１０は、ＵＬの再送信号のＭＣＳのレベルがＵＬ信号よりも低くなるように送信することになるため、ｅＮＢ２０でＵＬの再送信号が受信される可能性を高めることができる。
【００５６】
また、再送方式２−３の他の例として、ＵＥ１０は、ｅＮＢ２０からＮＡＣＫが通知されたと認識した場合、ＵＬ信号に適用した符号語長（パリティ長）よりも多くの符号語長でＵＬの再送信号を送信するようにしてもよい。例えば、ＵＥ１０は、ｅＮＢ２０からＮＡＣＫが通知されたと認識する度に、円形バッファからの読出しビット数を増加させるようにしてもよい。また、ＵＥ１０は、ｅＮＢ２０からＡＣＫが通知された場合、次の送信タイミングの上り信号については符号語長をリセットするようにしてもよい。
【００５７】
また、再送方式２−３の他の例では、ＵＥ１０は、ｅＮＢ２０からＡＣＫが通知されたと認識した場合、次の送信タイミングで送信するＵＬ信号の符号語長として、前回の送信タイミングにおけるＵＬ信号に適用した符号語長よりも少ない符号語長（例えば、円形バッファからの読出しビット数を３／４回にする等）を適用するようにしてもよい。すなわち、ＵＥ１０は、ＡＣＫが通知された場合に次の送信タイミングで送信するＵＬ信号の符号語長を少なくすることで、相対的にＵＬの再送信号の符号語長が多くなるようにしてもよい。
【００５８】
再送方式２−３の他の例によれば、ＵＥ１０は、ＵＬの再送信号の符号語長がＵＬ信号よりも多くなるように送信することになるため、ｅＮＢ２０でＵＬの再送信号が受信される可能性を高めることができる。
【００５９】
［再送方式２−４］
再送方式２−４では、ＵＬ信号の送信に拡散符号に基づく周波数拡散が適用されている前提とする。
【００６０】
再送方式２−４では、ＵＥ１０は、ｅＮＢ２０からＮＡＣＫが通知されたと認識した場合、ＵＬ信号に適用した拡散率よりも高い拡散率で（つまり、ＵＬ信号に適用した拡散符号の符号長よりも長い符号長の拡散符号を用いて）ＵＬの再送信号を送信する。
【００６１】
図１２は、再送方式２−４を説明するための図である。なお、図１２において特に言及しない点は図８と同一である。ＵＥ１０は、例えば、最初にＵＬ信号を送信する際は、「Ｔｒｅｅ＃３  ｃｏｄｅ」に該当する拡散符号を適用し、１回目にＵＬ信号を再送する際は「Ｔｒｅｅ＃２  ｃｏｄｅ」に該当する拡散符号を適用し、２回目にＵＬ信号を再送する際は「Ｔｒｅｅ＃１  ｃｏｄｅ」に該当する拡散符号を適用するというように、ＮＡＣＫが通知されたと認識する度に、徐々に拡散率を高めながらＵＬ信号の送信を行う。
【００６２】
なお、再送方式２−４の変形例として、ＵＥ１０は、ｅＮＢ２０からＡＣＫが通知されたと認識した場合、次の送信タイミングで送信する拡散率として、前回の送信タイミングにおけるＵＬ信号に適用した拡散率よりも低い拡散率を適用するようにしてもよい。すなわち、ＵＥ１０は、ＡＣＫが通知された場合に次の送信タイミングで送信するＵＬ信号の拡散率を下げることで、相対的にＵＬの再送信号の拡散率が高くなるようにしてもよい。
【００６３】
再送方式２−４によれば、ＵＥ１０は、ＵＬの再送信号の拡散率がＵＬ信号よりも高くなるように送信することになるため、ｅＮＢ２０でＵＬの再送信号が受信される可能性を高めることができる。
【００６４】
（「再送方式３」について）
「再送方式３」では、ＵＥ１０は、ＵＬ信号のフォーマットに含まれる送信要素ごとに再送方式を制御する。
【００６５】
図１３は、ＵＬ信号のフォーマットに含まれる送信要素の一例を示す図である。図１３に示すように、本実施の形態に係るＵＬ信号には、「Ｐｒｅａｍｂｌｅ」と、「ＣＣＨ（Control Channel）」と、「Ｄａｔａ」とが含まれる。「Ｐｒｅａｍｂｌｅ」は、ｅＮＢ２０において上り信号の検出、ビームフォーミングの測定、及びチャネル推定などに用いられるプリアンブルが格納される領域である。「ＣＣＨ」は、ＢＳＲ（Buffer Status Report）、ＵＥ−ＩＤ、ＵＥ能力（UE Capability）、送信電力情報（ＮＯＭＡ向け）、変調方式、ＵＬデータがマッピングされる時間及び周波数リソースの位置などを示す上り制御情報が格納される領域である。「Ｄａｔａ」は、ユーザデータなどのＵＬデータが格納される領域である。
【００６６】
「再送方式３」は、更に、再送方式３−１〜３−３に分けられる。
【００６７】
［再送方式３−１］
図１４は、再送方式３−１を説明するための図である。再送方式３−１は、「ＵＥ動作パターン１」に従ってＵＥ１０が動作する場合に適用可能な再送方式である。前述の通り、「ＵＥ動作パターン１」は、「ｅＮＢ動作パターン１」に対応している。「ＵＥ動作パターン１」では、ＵＥ１０は、ｅＮＢ２０から明示的にＮＡＣＫを受信した場合にｅＮＢ２０からＮＡＣＫが通知されたと認識する。すなわち、ＵＥ１０は、ｅＮＢ２０がＵＬ信号の「Ｐｒｅａｍｂｌｅ」に格納されるプリアンブルを検出することができた（つまり、ＵＬ信号自体は検出することができた）ものの、「ＣＣＨ」に格納される上り制御信号又は「Ｄａｔａ」に格納されるデータの復号に失敗したと推定することができる。
【００６８】
そこで、再送方式３−１では、ＵＥ１０は、「ＣＣＨ」及び／又は「Ｄａｔａ」がｅＮＢ２０で正しく復号される可能性が高まるようにＵＬ信号の再送を行う。なお、「再送方式３−１」において、ｅＮＢ２０は、「Ｐｒｅａｍｂｌｅ」に格納されるプリアンブルの系列等に基づきＵＥ１０を識別可能であり、識別したＵＥ１０に対してＮＡＣＫを送信可能である前提とする。
【００６９】
再送方式３−１では、ＵＥ１０は、ＵＬ信号を再送する際、ＵＬの再送信号の「ＣＣＨ」に格納される上り制御情報のアグリゲーションレベルを上げることで、ＵＬ信号の再送を行うようにしてもよい。ここで、上り制御情報のアグリゲーションレベルを上げるとは、例えば、上り制御信号をより多くの無線リソースにマッピングすること（例えば、ＣＣＥ（Control Channel Element）数を増やすこと）を意図する。
【００７０】
また、ＵＥ１０は、ＵＬ信号を再送する際、図１４に示すように、ＵＬの再送信号の「ＣＣＨ」の繰り返し送信回数を多くするようにしてもよい。すなわち、「ＣＣＨ」について、上述の「再送方式２−２」で説明した再送方式を適用するようにしてもよい。
【００７１】
また、ＵＥ１０は、ＵＬ信号を再送する際、ＵＬの再送信号の「Ｄａｔａ」に格納されるデータのＭＣＳのレベルを下げるようにしてもよい。すなわち、「Ｄａｔａ」について、上述の「再送方式２−３」で説明した再送方式を適用するようにしてもよい。
【００７２】
また、ＵＥ１０は、ＵＬ信号を再送する際、ＵＬの再送信号の「Ｄａｔａ」に格納されるデータの拡散率を高くするようにしてもよい。すなわち、「Ｄａｔａ」について、上述の「再送方式２−４」で説明した再送方式を適用するようにしてもよい。
【００７３】
また、ＵＥ１０は、ＵＬ信号を再送する際、ＵＬの再送信号の「Ｄａｔａ」の繰り返し送信回数を多くするようにしてもよい。すなわち、「Ｄａｔａ」について、上述の「再送方式２−２」で説明した再送方式を適用するようにしてもよい。
【００７４】
また、ＵＥ１０は、ＵＬ信号を再送する際、ＵＬの再送信号の「Ｄａｔａ」に格納されるデータのＲＶ（Redundancy Version）を変更し、ｅＮＢ２０側で、再送されたＵＬ信号の「Ｄａｔａ」に格納されるデータの合成（ＨＡＲＱ合成）を行うようにしてもよい。
【００７５】
以上説明した「ＣＣＨ」又は「Ｄａｔａ」に係る再送方式の全部又は一部を組み合わせるようにしてもよい。
【００７６】
再送方式３−１によれば、ＵＥ１０は、ＵＬの再送信号に含まれる「ＣＣＨ」及び／又は「Ｄａｔａ」がｅＮＢ２０で受信される可能性を高めることができる。
【００７７】
［再送方式３−２］
図１５は、再送方式３−２を説明するための図である。再送方式３−２は、「ＵＥ動作パターン２」に従ってＵＥ１０が動作する場合に適用可能な再送方式である。前述の通り、「ＵＥ動作パターン２」は、「ｅＮＢ動作パターン１」に対応している。「ＵＥ動作パターン２」では、ＵＥ１０は、ｅＮＢ２０からＡＣＫ及びＮＡＣＫの両方を受信できなかった場合に、ｅＮＢ２０からＮＡＣＫが通知されたと認識する。すなわち、ＵＥ１０は、ｅＮＢ２０はＵＬ信号の「Ｐｒｅａｍｂｌｅ」に格納されるプリアンブルを受信することができなかった（つまり、そもそもＵＬ信号を検出することができなかった）と推定することができる。
【００７８】
そこで、再送方式３−２では、ＵＥ１０は、少なくとも「Ｐｒｅａｍｂｌｅ」がｅＮＢ２０で正しく認識される可能性を高めるようにＵＬ信号の再送を行う。
【００７９】
再送方式３−２では、ＵＥ１０は、ＵＬの再送信号におけるプリアンブルの送信電力が、ＵＬ信号に適用した送信電力よりも高くなるようにＵＬの再送信号を送信するようにしてもよい。すなわち、「Ｐｒｅａｍｂｌｅ」について、上述の「再送方式２−１」で説明した再送方式を適用するようにしてもよい。
【００８０】
またＵＥ１０は、ＵＬの再送信号を送信する際、図１５に示すように、ＵＬ信号に用いたプリアンブルのプリアンブル長よりも長いプリアンブルを送信するようにしてもよい。
【００８１】
また、ＵＥ１０は、ＵＬ信号を再送する際、ＵＬの再送信号の「ＣＣＨ」に格納される上り制御情報のアグリゲーションレベルを上げるようにしてもよいし、又は、変更しなくてもよい。
【００８２】
また、ＵＥ１０は、ＵＬ信号を再送する際、ＵＬの再送信号の「ＣＣＨ」の繰り返し送信回数を多くするようにしてもよいし、又は、変更しなくてもよい。すなわち、「ＣＣＨ」について、上述の「再送方式２−２」で説明した再送方式を適用するようにしてもよいし、又は、適用しなくてもよい。
【００８３】
また、ＵＥ１０は、ＵＬ信号を再送する際、ＵＬの再送信号の「Ｄａｔａ」に格納されるデータのＭＣＳのレベルを下げるようにしてもよいし、又は、変更しなくてもよい。すなわち、「Ｄａｔａ」について、上述の「再送方式２−３」で説明した再送方式を適用するようにしてもよいし、又は、適用しなくてもよい。
【００８４】
また、ＵＥ１０は、ＵＬ信号を再送する際、ＵＬの再送信号の「Ｄａｔａ」に格納されるデータの拡散率を高くするようにしてもよいし、又は、変更しなくてもよい。すなわち、「Ｄａｔａ」について、上述の「再送方式２−４」で説明した再送方式を適用するようにしてもよいし、又は、適用しなくてもよい。
【００８５】
また、ＵＥ１０は、ＵＬ信号を再送する際、ＵＬの再送信号の「Ｄａｔａ」の繰り返し送信回数を多くするようにしてもよいし、又は、変更しなくてもよい。すなわち、「Ｄａｔａ」について、上述の「再送方式２−２」で説明した再送方式を適用するようにしてもよいし、又は、適用しなくてもよい。
【００８６】
また、ＵＥ１０は、ＵＬ信号を再送する際、ＵＬの再送信号の「Ｄａｔａ」に格納されるデータのＲＶ（Redundancy Version）を変更し、ｅＮＢ２０側で、再送されたＵＬ信号の「Ｄａｔａ」に格納されるデータの合成（ＨＡＲＱ合成）を行うようにしてもよい。
【００８７】
以上説明した「ＣＣＨ」又は「Ｄａｔａ」に係る再送方式の全部又は一部を組み合わせるようにしてもよい。
【００８８】
再送方式３−２によれば、ＵＥ１０は、少なくとも、ＵＬの再送信号に含まれる「Ｐｒｅａｍｂｌｅ」がｅＮＢ２０で受信される可能性を高めることができる。
【００８９】
［再送方式３−３］
図１６は、再送方式３−３を説明するための図である。再送方式３−３は、「ＵＥ動作パターン３」に従ってＵＥ１０が動作する場合に適用可能な再送方式である。前述の通り、「ＵＥ動作パターン３」は、「ｅＮＢ動作パターン２」に対応している。「ＵＥ動作パターン３」では、ＵＥ１０は、ｅＮＢ２０からＡＣＫを受信できなかった場合にｅＮＢ２０からＮＡＣＫが通知されたと認識する場合する。すなわち、ＵＥ１０は、ｅＮＢ２０はＵＬ信号の「Ｐｒｅａｍｂｌｅ」に格納されるプリアンブルを受信することができなかった（つまり、そもそもＵＬ信号を検出することができなかった）、又はｅＮＢ２０がＵＬ信号を検出したもののＮＡＣＫと判断した場合のいずれかであったと推定することができる。
【００９０】
そこで、再送方式３−３では、再送方式３−１及び再送方式３−２を組み合わせることで、ＵＥ１０は、「Ｐｒｅａｍｂｌｅ」、「ＣＣＨ」及び「Ｄａｔａ」がｅＮＢ２０で正しく認識される可能性が高まるようにＵＬ信号の再送を行う。より具体的には、ＵＬの再送信号を送信する際、「Ｐｒｅａｍｂｌｅ」については再送方式３−２で説明した再送方式を適用し、「ＣＣＨ」及び「Ｄａｔａ」については、再送方式３−１で説明した再送方式を適用する。
【００９１】
再送方式３−３によれば、ＵＥ１０は、ＵＬの再送信号がｅＮＢ２０で受信される可能性を高めることができる。
【００９２】
（「再送方式４」について）
「再送方式４」では、各ＵＥ１０は、ＵＬ信号の送信時と再送信号の送信時とで同様の衝突が生じるように（つまり、衝突が生じた各ＵＥ１０間で同一の無線リソースが用いられるように）再送を行い、ｅＮＢ２０側で衝突した信号を合成（ＨＡＲＱ合成）させるようにする。再送方式４は、「ＵＥ動作パターン１」に従ってＵＥ１０が動作する場合に適用可能な再送方式である。「再送方式３−１」で説明したように、「ＵＥ動作パターン１」は、ｅＮＢ２０は、ＵＥ１０からＵＬ信号が送信されたことを検出することができたものの、ＵＬ信号に格納される各種のデータの復号に失敗した場合に該当する。
【００９３】
図１７は、再送方式４を説明するための図である。再送方式４では、各ＵＥ１０には、再送に用いる無線リソースとして同一の無線リソースが予め上位レイヤ等で設定されている前提とする。また、ｅＮＢ２０は、例えばＵＬ信号に含まれるプリアンブルの系列等を用いて、ＵＬ信号がどのＵＥ１０から送信されたものなのかを認識可能である前提とする。また、ｅＮＢ２０は、各ＵＥ１０から送信されるＵＬ信号を、信号キャンセラ等を用いることで分離可能である前提とする。
【００９４】
まず、各ＵＥ１０（ＵＥ＃１及びＵＥ＃２）が同一の無線リソースを用いてＵＬ信号を送信する（Ｓ１１）。続いて、ｅＮＢ２０は、ＵＬ信号の衝突により、ＵＬ信号に格納される各種のデータの復号に失敗する（例えば、ＣＲＣチェックに失敗する）（Ｓ１２）。続いて、ｅＮＢ２０は、各ＵＥ１０（ＵＥ＃１及びＵＥ＃２）にＮＡＣＫを送信する（Ｓ１３）。続いて、各ＵＥ１０（ＵＥ＃１及びＵＥ＃２）は、同一の無線リソースを用いてＵＬの再送信号を送信する（Ｓ１４）。ｅＮＢ２０は、各ＵＥ１０から受信した各々のＵＬ信号に格納されるデータについてＨＡＲＱ合成を行うことでデータの復号を試みる（Ｓ１５）。仮に復号に失敗した場合は更にこれらの動作（Ｓ１３〜Ｓ１５）を繰り返すことで、ｅＮＢ２０は、各ＵＥ１０から受信したＵＬ信号に格納されるデータの復号を行うことができる。
【００９５】
再送方式４によれば、衝突したＵＥ１０間で再送に用いる無線リソースが分散されないため、他の無線リソースで送信される信号に対する与干渉を避けることが可能になる。
【００９６】
（各再送方式に共通の補足事項について）
図１８に示すように、本無線通信システムでは、同一の送信タイミングで送信されたＵＬ信号に対して、ｅＮＢ２０から送信されるＡＣＫ／ＮＡＣＫの受信タイミング（受信ウインドウ）を各ＵＥ１０間で分散させるようにしてもよい。ＡＣＫ／ＮＡＣＫの受信タイミング（受信ウインドウ）は、ＵＥ１０個別の情報（例えば、ＵＥ−ＩＤ、ＩＭＳＩ、Ｃ−ＲＮＴＩなど）に基づいて決定されるようにしてもよいし、ＵＥ１０毎に上位レイヤ（ＲＲＣなど）を用いて個別に設定されるようにしてもよい。
【００９７】
これにより、ＤＬ（Downlink）のＡＣＫ／ＮＡＣＫ送信に係るトラフィックを分散させることが可能になると共に、ＵＥ１０がＵＬの再送信号を送信するタイミングを分散させることが可能になる。
【００９８】
＜機能構成＞
以上説明した実施の形態の動作を実行するＵＥ１０及びｅＮＢ２０の機能構成例を説明する。
【００９９】
（ＵＥ）
図１９は、実施の形態に係るＵＥの機能構成の一例を示す図である。図１９に示すように、ＵＥ１０は、信号送信部１００と、信号受信部１０１と、再送制御部１０２とを有する。なお、図１９は、ＵＥ１０において本発明の実施の形態に特に関連する機能部のみを示すものであり、少なくとも本実施の形態に係る無線方式に準拠した動作を行うための図示しない機能も有するものである。また、図１９に示す機能構成は一例に過ぎない。本実施の形態に係る動作を実行できるのであれば、機能区分及び機能部の名称はどのようなものでもよい。ただし、これまでに説明したＵＥ１０の処理の一部（例：特定の１つ又は複数の再送方式、変形例、具体例のみ等）を実行可能としてもよい。
【０１００】
信号送信部１００は、ユーザ装置ＵＥから送信されるべき上位のレイヤの信号から、物理レイヤの各種信号を生成し、無線送信する機能を含む。また、信号送信部１００は、再送制御部１０２で上り信号の再送を行うと判断した場合に、所定の再送方式に基づいて上り信号を再送する機能を有する。
【０１０１】
また、信号送信部１００は、所定の再送方式（例えば再送方式１−１）として、上り信号に対するＮＡＣＫを所定の回数連続して受信したことを再送制御部１０２で検出した場合、又は、送信された上り信号に対するＡＣＫ若しくはＮＡＣＫを受信していないことを所定の回数連続して再送制御部１０２で検出した場合、ｅＮＢ２０にスケジューリング要求を送信すると共に、当該スケジューリング要求に基づきｅＮＢ２０から割当てられた上り無線リソースを用いて上り信号を再送するようにしてもよい。
【０１０２】
また、信号送信部１００は、所定の再送方式（例えば再送方式１−２）として、再送制御部１０２で上り信号の再送を行うと判断した場合、所定の時間（バックオフ時間）が経過してから上り信号を再送するようにしてもよい。
【０１０３】
また、信号送信部１００は、所定の再送方式（例えば再送方式１−３）として、上り信号の送信に周波数ホッピングを適用すると共に、再送制御部１０２で上り信号の再送を行うと判断した場合、上り信号の送信に用いた周波数ホッピングパターンとは異なる周波数ホッピングパターンを用いて上り信号を再送するようにしてもよい。
【０１０４】
また、信号送信部１００は、所定の再送方式（例えば再送方式１−４）として、上り信号の送信に拡散符号を用いた周波数拡散を適用すると共に、再送制御部１０２で上り信号の再送を行うと判断した場合、上り信号の送信に用いた拡散符号とは異なる拡散符号を用いて上り信号を再送するようにしてもよい。
【０１０５】
また、信号送信部１００は、所定の再送方式（例えば再送方式１−５）として、上り信号の送信においてＩＤＭＡ方式を適用すると共に、再送制御部１０２で上り信号の再送を行うと判断した場合、上り信号の送信に用いたインターリーブパターンとは異なるインターリーブパターンを用いて上り信号を再送するようにしてもよい。
【０１０６】
また、信号送信部１００は、信号受信部１０１でＡＣＫを受信した場合に、所定の再送方式に従って次の送信タイミングの上り信号を送信するか、又は、再送制御部１０２で上り信号の再送を行うと判断した場合に、所定の再送方式に基づいて上り信号を再送する機能を有する。
【０１０７】
また、信号送信部１００は、所定の再送方式（例えば再送方式２−１の変形例）として、次の送信タイミングの上り信号を、前回の送信タイミングの上り信号に適用した送信電力よりも低い送信電力を適用して送信するか、又は、所定の再送方式（例えば再送方式２−１）として、上り再送信号を、上り信号に適用した送信電力よりも高い送信電力を適用して送信するようにしてもよい。
【０１０８】
また、信号送信部１００は、上り信号の送信に繰り返し送信を適用すると共に、所定の再送方式（例えば再送方式２−２の変形例）として、次の送信タイミングの上り信号を、前回の送信タイミングの上り信号に適用した繰り返し送信回数よりも少ない繰り返し送信回数を適用して送信するか、又は、上り信号の送信に繰り返し送信を適用すると共に、所定の再送方式（例えば再送方式２−２）として、上り再送信号を、上り信号に適用した繰り返し送信回数よりも多い繰り返し送信回数を適用して送信するようにしてもよい。
【０１０９】
また、信号送信部１００は、所定の再送方式（例えば再送方式２−３の変形例）として、次の送信タイミングの上り信号を、前回の送信タイミングの上り信号に適用した変調方式若しくは符号化方式よりも、ビットレートが高い変調方式若しくは符号化レートが高い符号化方式を適用して送信するか、又は、所定の再送方式（例えば再送方式２−３）として、上り再送信号を、上り信号に適用した変調方式若しくは符号化方式よりも、ビットレートが低い変調方式若しくは符号化レートが低い符号化方式を適用して送信するようにしてもよい。
【０１１０】
また、信号送信部１００は、所定の再送方式（例えば再送方式２−４の変形例）として、次の送信タイミングの上り信号を、前回の送信タイミングの上り信号に適用した拡散符号の拡散率よりも低い拡散率を適用して送信するか、又は、所定の再送方式（例えば再送方式２−４）として、上り再送信号を、上り信号に適用した拡散符号の拡散率よりも高い拡散率を適用して送信するようにしてもよい。
【０１１１】
また、信号送信部１００は、再送制御部１０２で上り信号に対するＡＣＫ若しくはＮＡＣＫを受信していない場合に上り信号の再送を行うと判断された場合に、上り信号のうち、プリアンブルの送信に所定の再送方式（例えば、再送方式２−１、再送方式３−２、又は再送方式３−３）を適用することで上り信号の再送を行うようにしてもよい。
【０１１２】
また、信号送信部１００は、再送制御部１０２で上り信号の再送を行うと判断した場合に、上り信号に含まれる上りデータの送信に所定の再送方式（例えば、再送方式２−２、再送方式２−３、再送方式３−１、又は再送方式３−３）を適用することで上り信号の再送を行うようにしてもよい。
【０１１３】
信号受信部１０１は、他のユーザ装置ＵＥ又は基地局ｅＮＢから各種の信号を無線受信し、受信した物理レイヤの信号からより上位のレイヤの信号を取得する機能を含む。また、信号受信部１０１は、ｅＮＢ２０から、上り信号に対するＡＣＫ又はＮＡＣＫを受信する機能を有する。
【０１１４】
再送制御部１０２は、ｅＮＢ２０から、上り信号に対するＮＡＣＫを受信した場合、又は、上り信号に対するＡＣＫ若しくはＮＡＣＫを受信していない場合に、上り信号の再送を行うと判断する機能を有する。
【０１１５】
（ｅＮＢ）
図２０は、実施の形態に係るｅＮＢの機能構成の一例を示す図である。図２０に示すように、ｅＮＢ２０は、信号送信部２００と、信号受信部２０１と、ＨＡＲＱ処理部２０２とを有する。なお、図２０は、ｅＮＢ２０において本発明の実施の形態に特に関連する機能部のみを示すものであり、少なくとも本実施の形態に係る無線方式に準拠した動作を行うための図示しない機能も有するものである。また、図２０に示す機能構成は一例に過ぎない。本実施の形態に係る動作を実行できるのであれば、機能区分及び機能部の名称はどのようなものでもよい。ただし、これまでに説明したｅＮＢ２０の処理の一部（例：特定の１つ又は複数の再送方式、変形例、具体例のみ等）を実行可能としてもよい。
【０１１６】
信号送信部２００は、ｅＮＢ２０から送信されるべき上位のレイヤの信号から、物理レイヤの各種信号を生成し、無線送信する機能を含む。信号受信部２０１は、ＵＥ１０から各種の信号を無線受信し、受信した物理レイヤの信号からより上位のレイヤの信号を取得する機能を含む。
【０１１７】
ＨＡＲＱ処理部２０２は、信号受信部２０１で受信した上り信号に対して、ＡＣＫ／ＮＡＣＫをＵＥ１０に送信する機能を有する。また、ＨＡＲＱ処理部２０２は、信号受信部２０１で受信した上り信号及び再送信号を用いて合成処理（ＨＡＲＱ合成）を行う機能を有する。
【０１１８】
＜ハードウェア構成＞
上記実施の形態の説明に用いたブロック図（図１９及び図２０）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１１９】
例えば、実施の形態におけるＵＥ１０及びｅＮＢ２０は、本発明の無線通信方法の処理を行うコンピュータとして機能してもよい。図２１は、実施の形態に係るＵＥ１０及びｅＮＢ２０のハードウェア構成の一例を示す図である。上述のＵＥ１０及びｅＮＢ２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１２０】
なお、以下の説明では、「装置」という文言は、回路、デバイス、ユニットなどに読み替えることができる。ＵＥ１０及びｅＮＢ２０のハードウェア構成は、図に示した各装置を１つ又は複数含むように構成されてもよいし、一部の装置を含まずに構成されてもよい。
【０１２１】
ＵＥ１０及びｅＮＢ２０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１２２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＵＥ１０の信号送信部１００と、信号受信部１０１と、再送制御部１０２と、ｅＮＢ２０の信号送信部２００と、信号受信部２０１と、ＨＡＲＱ処理部２０２とは、プロセッサ１００１で実現されてもよい。
【０１２３】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＵＥ１０の信号送信部１００と、信号受信部１０１と、再送制御部１０２と、ｅＮＢ２０の信号送信部２００と、信号受信部２０１と、ＨＡＲＱ処理部２０２とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１２４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、実施の形態に係る無線通信方法を実施するために実行可能なプログラム（プログラムコード）、ソフトウェアモジュールなどを保存することができる。
【０１２５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１２６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ＵＥ１０の信号送信部１００と、信号受信部１０１と、ｅＮＢ２０の信号送信部２００と、信号受信部２０１とは、通信装置１００４で実現されてもよい。
【０１２７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２８】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１２９】
また、ＵＥ１０及びｅＮＢ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１３０】
＜まとめ＞
以上、実施の形態によれば、複数のユーザ装置と基地局とを有し、当該複数のユーザ装置が上り無線リソースを共有する通信方式をサポートする無線通信システムにおけるユーザ装置であって、前記基地局から、上り信号に対するＮＡＣＫを受信した場合、又は、上り信号に対するＡＣＫ若しくはＮＡＣＫを受信していない場合に、上り信号の再送を行うと判断する制御部と、前記制御部で上り信号の再送を行うと判断した場合に、所定の再送方式に基づいて上り信号を再送する送信部と、を有するユーザ装置が提供される。これにより、衝突型のアクセス方式が用いられる場合に、効率的にＵＬ信号の再送を行うことを可能にする技術が提供される。
【０１３１】
また、前記送信部は、上り信号に対するＮＡＣＫを所定の回数連続して受信したことを前記制御部で検出した場合、又は、送信された上り信号に対するＡＣＫ若しくはＮＡＣＫを受信していないことを所定の回数連続して前記制御部で検出した場合、前記基地局にスケジューリング要求を送信すると共に、当該スケジューリング要求に基づき前記基地局から割当てられた上り無線リソースを用いて上り信号を再送するようにしてもよい。これにより、ＵＥ１０は、複数回連続してＮＡＣＫが通知されたと認識した場合に、非衝突型のアクセス方式に切替えることができ、より効率的にＵＬ信号の送信を行うことが可能になる。
【０１３２】
また、前記送信部は、上り信号の送信に周波数ホッピングを適用すると共に、前記制御部で上り信号の再送を行うと判断した場合、上り信号の送信に用いた周波数ホッピングパターンとは異なる周波数ホッピングパターンを用いて上り信号を再送するようにしてもよい。これにより、ＵＥ１０間でＵＬ信号の送信リソースが分散され、ＵＬの再送信号が衝突する可能性が軽減されることになる。また、ＵＬ信号の送信に周波数ホッピングが適用される場合に、ＵＬの再送信号が衝突する可能性を軽減させることができる。
【０１３３】
また、前記送信部は、上り信号の送信に拡散符号を用いた周波数拡散を適用すると共に、前記制御部で上り信号の再送を行うと判断した場合、上り信号の送信に用いた拡散符号とは異なる拡散符号を用いて上り信号を再送するようにしてもよい。これにより、ＵＬ再送時に、ＵＥ１０毎に異なる拡散符号が適用されることになるため、ＵＬの再送信号が衝突する可能性を軽減させることができる。また、ＵＬ信号の送信に拡散符号に基づく周波数拡散が適用される場合に、ＵＬの再送信号が衝突する可能性を軽減させることができる。
【０１３４】
また、前記送信部は、上り信号の送信において、上り信号ごとに異なるインターリーブパターンを適用することで上り信号を多重するアクセス方式を適用すると共に、前記制御部で上り信号の再送を行うと判断した場合、上り信号の送信に用いたインターリーブパターンとは異なるインターリーブパターンを用いて上り信号を再送するようにしてもよい。これにより、ＵＬ再送時に、ＵＥ１０毎に異なるインターリーブパターンが適用されることになるため、ＵＬの再送信号が衝突する可能性を軽減させることができる。また、ＵＬ信号の送信にＩＤＭＡが適用される場合に、ＵＬの再送信号が衝突する可能性を軽減させることができる。
【０１３５】
また、実施の形態によれば、複数のユーザ装置と基地局とを有し、当該複数のユーザ装置が上り無線リソースを共有する通信方式をサポートする無線通信システムにおけるユーザ装置が実行する無線通信方法であって、前記基地局から、上り信号に対するＮＡＣＫを受信した場合、又は、上り信号に対するＡＣＫ若しくはＮＡＣＫを受信していない場合に、上り信号の再送を行うと判断するステップと、上り信号の再送を行うと判断した場合に、所定の再送方式に基づいて上り信号を再送するステップと、を有する無線通信方法が提供される。この無線通信方法によれば、衝突型のアクセス方式が用いられる場合に、効率的にＵＬ信号の再送を行うことを可能にする技術が提供される。
【０１３６】
また、実施の形態によれば、複数のユーザ装置と基地局とを有し、当該複数のユーザ装置が上り無線リソースを共有する通信方式をサポートする無線通信システムにおけるユーザ装置であって、前記基地局から、上り信号に対するＡＣＫ又はＮＡＣＫを受信する受信部と、前記受信部で上り信号に対するＮＡＣＫを受信した場合、又は、上り信号に対するＡＣＫ若しくはＮＡＣＫを受信していない場合に、上り信号の再送を行うと判断する制御部と、前記受信部でＡＣＫを受信した場合に、第一の再送方式に従って次の送信タイミングの上り信号を送信するか、又は、前記制御部で上り信号の再送を行うと判断した場合に、第二の再送方式に基づいて上り信号を再送する送信部と、を有するユーザ装置が提供される。これにより、衝突型のアクセス方式が用いられる場合に、効率的にＵＬ信号の再送を行うことを可能にする技術が提供される。
【０１３７】
また、前記送信部は、前記第一の再送方式として、次の送信タイミングの上り信号を、前回の送信タイミングの上り信号に適用した送信電力よりも低い送信電力を適用して送信するか、又は、前記第二の再送方式として、上り再送信号を、上り信号に適用した送信電力よりも高い送信電力を適用して送信するようにしてもよい。これにより、ＵＥ１０は、ＵＬの再送信号の送信電力がＵＬ信号よりも高くなるように送信することになるため、ｅＮＢ２０でＵＬの再送信号が受信される可能性を高めることができる。
【０１３８】
また、前記送信部は、上り信号の送信に繰り返し送信を適用すると共に、前記第一の再送方式として、次の送信タイミングの上り信号を、前回の送信タイミングの上り信号に適用した繰り返し送信回数よりも少ない繰り返し送信回数を適用して送信するか、又は、上り信号の送信に繰り返し送信を適用すると共に、前記第二の再送方式として、上り再送信号を、上り信号に適用した繰り返し送信回数よりも多い繰り返し送信回数を適用して送信するようにしてもよい。これにより、ＵＥ１０は、ＵＬの再送信号の繰り返し送信回数がＵＬ信号よりも多くなるように送信することになるため、ｅＮＢ２０でＵＬの再送信号が受信される可能性を高めることができる。
【０１３９】
また、前記送信部は、前記第一の再送方式として、次の送信タイミングの上り信号を、前回の送信タイミングの上り信号に適用した変調方式若しくは符号化方式よりも、ビットレートが高い変調方式若しくは符号化レートが高い符号化方式を適用して送信するか、又は、前記第二の再送方式として、上り再送信号を、上り信号に適用した変調方式若しくは符号化方式よりも、ビットレートが低い変調方式若しくは符号化レートが低い符号化方式を適用して送信するようにしてもよい。これにより、ＵＥ１０は、ＵＬの再送信号の変調方式のビットレート若しくは符号化レートが、ＵＬ信号の変調方式のビットレート若しくは符号化レートよりも低くなるように再送信号を送信することになるため、ｅＮＢ２０でＵＬの再送信号が受信される可能性を高めることができる。
【０１４０】
また、前記上り信号は、前記基地局で上り信号の検出に用いられるプリアンブルと、上りデータに関する情報を示す上り制御情報と、上りデータとを含み、前記制御部は、前記受信部で上り信号に対するＡＣＫ若しくはＮＡＣＫを受信していない場合に、上り信号の再送を行うと判断し、前記送信部は、前記制御部で上り信号の再送を行うと判断した場合に、前記上り信号のうち、前記プリアンブルの送信に前記第二の再送方式を適用することで上り信号の再送を行うようにしてもよい。これにより、ＵＥ１０は、少なくとも、ＵＬの再送信号に含まれる「Ｐｒｅａｍｂｌｅ」がｅＮＢ２０で受信される可能性を高めることができる。
【０１４１】
また、複数のユーザ装置と基地局とを有し、当該複数のユーザ装置が上り無線リソースを共有する通信方式をサポートする無線通信システムにおけるユーザ装置が実行する無線通信方法であって、前記基地局から、上り信号に対するＡＣＫ又はＮＡＣＫを受信する受信ステップと、上り信号に対するＮＡＣＫを受信した場合、又は、上り信号に対するＡＣＫ若しくはＮＡＣＫを受信していない場合に、上り信号の再送を行うと判断する判断ステップと、前記受信ステップでＡＣＫを受信した場合に、第一の再送方式に従って次の送信タイミングの上り信号を送信するか、又は、前記判断ステップで上り信号の再送を行うと判断した場合に、第二の再送方式に基づいて上り信号を再送するステップと、を有する無線通信方法が提供される。この無線通信方法によれば、衝突型のアクセス方式が用いられる場合に、効率的にＵＬ信号の再送を行うことを可能にする技術が提供される。
【０１４２】
＜実施形態の補足＞
「再送方式１−１」〜「再送方式１−５」、「再送方式２−１」〜「再送方式２−４」、「再送方式３−１」〜「再送方式３−３」及び「再送方式４」は、処理手順に矛盾が生じない限り任意に組み合わせることができる。
【０１４３】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１４４】
ＵＥ１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１４５】
ｅＮＢ２０は、当業者によって、ＮＢ（NodeB）、基地局、ベースステーション（Base Station）、またはいくつかの他の適切な用語で呼ばれる場合もある。
【０１４６】
本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【０１４７】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１４８】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４９】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１５０】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１５１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５２】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１５３】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１５４】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１５５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１５６】
１０  ＵＥ
２０  ｅＮＢ
１００  信号送信部
１０１  信号受信部
１０２  再送制御部
２００  信号送信部
２０１  信号受信部
２０２  ＨＡＲＱ処理部
１００１  プロセッサ
１００２  メモリ
１００３  ストレージ
１００４  通信装置
１００５  入力装置
１００６  出力装置
【図１】
2019153823.tif 000003
【図２】
2019153823.tif 000004
【図３】
2019153823.tif 000005
【図４】
2019153823.tif 000006
【図５】
2019153823.tif 000007
【図６】
2019153823.tif 000008
【図７】
2019153823.tif 000009
【図８】
2019153823.tif 000010
【図９】
2019153823.tif 000011
【図１０】
2019153823.tif 000012
【図１１】
2019153823.tif 000013
【図１２】
2019153823.tif 000014
【図１３】
2019153823.tif 000015
【図１４】
2019153823.tif 000016
【図１５】
2019153823.tif 000017
【図１６】
2019153823.tif 000018
【図１７】
2019153823.tif 000019
【図１８】
2019153823.tif 000020
【図１９】
2019153823.tif 000021
【図２０】
2019153823.tif 000022
【図２１】
2019153823.tif 000023